(57)【要約】【課題】スリッターナイフがドラッグローラーの周面から離隔した際にスリッターナイフの刃先が露出するカバーの開口部を縮小又は塞いで紙通し等の作業の安全性を高める。【解決手段】ドラッグローラー１００の周面に対向するスリッターナイフ３２５の刃先３２５ａを露出させる開口部４１３を形成して、アーム３２１の他端部に固定して設けられた固定カバー４１２と、アームの他端部に、スリッターナイフの回転中心線周りに角変位可能に設けた移動カバー４１４と、移動カバーに接触し、移動カバーの自由な動きを規制するとともに当該移動カバーをスリッターナイフの移動の際にスリッターナイフの回転中心周りに角変位するよう案内する案内手段４２０とを有し、スリッターナイフをドラッグローラーから遠ざかる向きに移動した時に、移動カバーを前記案内手段にて固定カバーの開口部を縮小し又は塞ぐよう移動可能にした構成となっている。【選択図】      図１
2004322266.tif 000002
【特許請求の範囲】
【請求項１】
ドラッグローラーに平行かつ角変位可能にフレーム間に設けた支持軸に、この支持軸と一体となるようにアームの一端部を取り付け、このアームの他端部に回転可能に、かつ前記支持軸の角変位に伴ってドラッグローラーの周面に対して遠近移動可能にスリッターナイフを設け、当該スリッターナイフの刃先をカバーするよう設けたスリッターナイフのカバーにおいて、
ドラッグローラーの周面に対向するスリッターナイフの刃先を露出させる開口部を形成して、アームの他端部に固定して設けられた固定カバーと、
アームの他端部に、スリッターナイフの回転中心線周りに角変位可能に設けた移動カバーと、
移動カバーに接触し、スリッターナイフの移動に伴う移動カバーの動きを規制するとともに当該移動カバーをスリッターナイフの回転中心周りに角変位するよう案内する案内手段とを有し、
スリッターナイフをドラッグローラーから遠ざかる向きに移動した時に、移動カバーを前記案内手段にて固定カバーの開口部を縮小し又は塞ぐよう移動可能にしたことを特徴とするスリッターナイフのカバー。
【発明の詳細な説明】
【０００１】
【発明の属する技術分野】
この発明は、輪転機の折機のフォーマー上流等に設けられるドラッグローラーの周面に対向して設けられるスリッターナイフをカバーするスリッターナイフのカバーに関する。
【０００２】
【従来の技術】
巻取紙を使用する輪転機の折機は、例えば、印刷部を通過した連続紙を走行方向と平行に２つ折りするフォーマーと、フォーマーの下流に配置して連続紙を所定長さに切断して折り畳み、折帳とする折畳胴群から構成されている。そして、前記折機のフォーマー上流には、フォーマーに連続紙を送り込むドラッグローラーの周面で、連続紙を走行方向と平行に切断するスリッターナイフが設けられている。
【０００３】
このドラッグローラーに設けられるスリッターナイフのカバーに関する従来の技術は、例えば特許文献１及び２に示されたものがある。
【０００４】
特許文献１に示されたものは、折機の左右のフレーム間に設けた支持軸に、この支持軸上に一端部が固定されたブラケットを設け、このブラケットの他端部に第１アームを介してスリッター刃を、第２アームを介して縦ミシン刃を、それぞれ、ドラッグローラーの周面の軸方向で一致し、周面方向で相違する位置に対して遠近するように角変位可能に設けるとともに、前記アームを角変位させるべくブラケットに組み付けられて前記スリッター刃と縦ミシン刃とを選択的にドラッグローラーの周面に対して、刃先を入り込ませるか、又は離隔させる着脱動作を行わせる第１及び第２流体圧シリンダーを備え、スリッター刃と縦ミシン刃との切り換えを自動的に行えるようにしたものである。そして、スリッター刃及び縦ミシン刃には、ドラッグローラーの周面と対向する刃先を露出させる開口部を形成して設けられたカバーが図示されている。
【０００５】
特許文献２に示されたものは、左右の折機のフレーム間に設けた支持軸に、軸方向に離隔した一対のブラケットを設け、このブラケット間の支持軸上を軸方向に移動可能なスライダーを設け、このスライダーを移動させる流体圧シリンダーをブラケットに取り付けている。
【０００６】
そして、スライダーとともに移動すべく支持軸に支持されたスリッター刃及び縦ミシン刃と、これらスリッター刃及び縦ミシン刃を支持軸の所定位置で選択的に、支持軸を支点としてドラッグローラーの周面に対して角変位させ、それぞれの刃先をドラッグローラーの周面に入り込ませるか、又は離隔させる。この着脱動作を行わせるようスライダーに流体圧シリンダーを取り付け、この流体圧シリンダーとスライダーを移動させる前記流体圧シリンダーによりスリッター刃と縦ミシン刃との切り換えを自動的に行えるようにしたものである。
【０００７】
そして、スリッター刃及び縦ミシン刃には、ドラッグローラーの周面と対向する刃先を露出させる開口部を形成して設けられたスリッターナイフのカバーが図示されている。
【０００８】
【特許文献１】
特開平０６−３４５３２２号公報（第２頁、図１、図２）
【特許文献２】
特開平０６−３４５３２３号公報（第２〜３頁、図１、図２）
【０００９】
【発明が解決しようとする課題】
上記した従来の技術である特許文献１及び特許文献２にて開示されたものには、次に示すような解決しようとする課題がある。
【００１０】
両特許文献におけるスリッターナイフのカバーでは、ドラッグローラーからスリッターナイフが離隔した際に、スリッターナイフを覆うカバーの開口部に刃先が露出したままになっている。これにより、カバーの開口部に露出する刃先は、例えば折機への紙通し作業や保守作業を行う作業者にとって危険なものであった。
【００１１】
本発明はこのようなことに鑑みなされたもので、スリッターナイフがドラッグローラーの周面から離隔した際に、カバーの開口部が縮小され、又は塞がれて、紙通し作業や保守作業の際に危険がないように刃先を覆うことができるスリッターナイフのカバーを提供することを目的とするものである。
【００１２】
【課題を解決するための手段】
この目的を達成するために、本発明に係るスリッターナイフのカバーは、ドラッグローラーに平行かつ角変位可能にフレーム間に設けた支持軸に、この支持軸と一体となるようにアームの一端部を取り付け、このアームの他端部に回転可能に、かつ前記支持軸の角変位に伴ってドラッグローラーの周面に対して遠近移動可能にスリッターナイフを設け、当該スリッターナイフの刃先をカバーするよう設けたスリッターナイフのカバーにおいて、ドラッグローラーの周面に対向するスリッターナイフの刃先を露出させる開口部を形成して、アームの他端部に固定して設けられた固定カバーと、アームの他端部に、スリッターナイフの回転中心線周りに角変位可能に設けた移動カバーと、移動カバーに接触し、スリッターナイフの移動に伴う移動カバーの動きを規制するとともに当該移動カバーをスリッターナイフの回転中心周りに角変位するよう案内する案内手段とを有し、スリッターナイフをドラッグローラーから遠ざかる向きに移動した時に、移動カバーを前記案内手段にて固定カバーの開口部を縮小し又は塞ぐよう移動可能にした構成になっている。
【００１３】
【作  用】
支持軸を角変位することによりアームを介してスリッターナイフがドラックローラーに対して遠近移動される。そして、支持軸の角変位にてスリッターナイフがドラックローラーに近づいた状態での移動カバーは、案内手段にて固定カバーの開口部を縮小又は塞ぐ方向に移動しない位置に維持され、スリッターナイフは固定カバー開口部より露出してドラッグローラーに近づき、ドラッグローラーにて牽引走行される連続紙はこれの走行方向と平行に切断される。
【００１４】
また、支持軸の角変位にてスリッターナイフがドラッグローラーから遠ざかった状態での移動カバーは、固定カバーとともにドラッグローラーから遠ざかる方向に移動する。そしてこのとき、移動カバーは固定カバーに対して、これの開口部を縮小、又は塞ぐ方向に相対的に移動し、固定カバーの開口部より露出している部分のスリッターナイフの刃先の一部又は全部が移動カバーにてカバーされる。
【００１５】
【発明の実施の形態】
この発明の実施の形態における折機スリッターナイフのカバーを図面に従って説明する。
【００１６】
図面中、図１はこの発明の実施の形態におけるスリッターナイフのカバーの構成を示す斜視図、図２は図１のＷ矢視一部断面図、図３は図１のＸ矢視一部断面展開図、図４は図３の一部断面拡大図、図５は図１のＹ矢視一部断面図、図６は図２のスリッターナイフが待機位置に位置するときのカバーの説明図、図７は折機のドラッグローラーと共同で作用可能に設けたワリスを示す斜視図、図８は図７のＺ矢視一部断面展開図、図９は折機の構成を示す概略正面図である。
【００１７】
まず、図９において輪転機の折機Ａは、左右のフレームＨａ、Ｈｂに回転可能に支持されたドラッグローラー１００と、ドラッグローラー１００の下流に設けたフォーマーＣと、フォーマーＣの下方に設けたニッピングローラーＤと、折畳胴群Ｅと、デリバリーコンベヤーＦとによって構成されており、連続紙Ｐはドラッグローラー１００から折畳胴群Ｅへ紙通しされている。
【００１８】
ドラッグローラー１００の周面で連続紙Ｐの幅の中央に相当する位置には、連続紙Ｐを切断するスリッターナイフ３２５が、ドラッグローラー１００の周面に設けた溝１０１に入り込んだ切断作用位置と、溝１０１から抜け出るとともに、ドラッグローラー１００の外周面に接触して走行させられる連続紙Ｐに干渉しない待機位置とに移動可能に設けられている。そしてこのドラッグローラー１００の周面におけるスリッターナイフ３２５の切断作用位置の僅かに上流の位置には連続紙Ｐをドラッグローラー１００の回転に追従させるべく、ドラッグローラー１００の周面に押し付けるワリス２１２が設けられている。このワリス２１２は連続紙Ｐの両側と、スリッターナイフ３２５による切断位置の両側の４個所に設けられている。
【００１９】
そして、図示しない印刷部を通過した連続紙Ｐは、ワリス２１２によってドラッグローラー１００の周面に押し付けられ、ドラッグローラー１００の回転によって牽引されてフォーマーＣに送り込まれる。この際、スリッターナイフ３２５が待機位置に位置している場合には、連続紙Ｐは切断されずフォーマーＣで走行方向に平行に２つ折りされる。また、スリッターナイフ３２５が切断作用位置に位置している場合には、連続紙Ｐは走行方向と平行に切断され、半分幅の２つの連続紙となり、フォーマーＣを通過することによって重ね合わされる。フォーマーＣを通過した連続紙ＰはニッピングローラーＤによって挟まれて折畳胴群Ｅに送り込まれる。折畳胴群Ｅでは連続紙Ｐは所定長さに切断されるとともにその切断線と平行に折り畳まれて折帳Ｇとなり、デリバリーコンベヤーＦによって機外に排出されるようになっている。
【００２０】
上記したスリッターナイフ３２５には図２から図８に示すように、これをカバーするスリッターナイフのカバー４００が設けられている。このスリッターナイフのカバー４００は、固定カバー４１２と移動カバー４１４及び案内手段４２０から構成されている。
【００２１】
以下にドラッグローラー１００、ワリス２１２、スリッターナイフ３２５及びスリッターナイフのカバー４００の構成について説明する。
【００２２】
１．ドラッグローラー１００
ドラッグローラー１００は、図７、図８に示すように、左右のフレームＨａ、Ｈｂ間に設けられ、このドラッグローラー１００の軸部１００ａ、１００ｂはフレームＨａ、Ｈｂに回転可能に支持されている。そして一方の軸部１００ｂは一方のフレームＨｂの外側に突出していて、その軸端には従動歯車１０２が設けられている。
【００２３】
従動歯車１０２には、図示しない駆動源から駆動伝達された図示しない駆動側の歯車が噛み合っていて、印刷部の運転に連動し、印刷部による連続紙Ｐの送り出し速度よりも僅かに早い周速度でドラッグローラー１００が回転するように駆動が伝達されている。
【００２４】
ドラッグローラー１００の軸方向中央の周面には、スリッターナイフ３２５の刃先３２５ａが入り込む溝１０１が設けられている。また、このドラッグローラー１００の他方の軸部１００ａには、他方のフレームＨａの内側に位置させて歯車３４２が設けられている。
【００２５】
２．ワリス２１２
図７、図８に示す左右のフレームＨａ、Ｈｂの内側にはドラッグローラー１００の上方に位置するワリス用ステー３１３が、両端部をフレームＨａ、Ｈｂの内側面に固定されたブラケット３１３ａ、３１３ｂに支持されて設けられていて、このワリス用ステー３１３には複数個のアーム２１１、２１１、２１１、２１１のそれぞれの中間部が角変位可能に支持されている。各アーム２１１、２１１、２１１、２１１の一方端２１１ａには上記ドラッグローラー１００の周面に対向するワリス２１２、２１２、２１２、２１２が回転可能に設けられている。
【００２６】
図８に示すようにワリス２１２は、ドラッグローラー１００の周面の４個所、つまり連続紙Ｐの両側２個所とスリッターナイフ３２５による切断位置の両側近傍の２個所に設けられている。
【００２７】
上記ワリス用ステー３１３の上方にはブラケット用ステー３１２が、両フレームＨａ、Ｈｂの内側面に固定したブラケット３１２ａ、３１２ｂに回転しないようにして支持されて設けられている。そしてこのブラケット用ステー３１２には、軸方向中間部に主ブラケット３１４が、またこれの両側にワリス用ブラケット３１４′、３１４′がそれぞれ固定されている。
【００２８】
主ブラケット３１４には、スリッターナイフ３２５の両側に位置するワリス２１２、２１２を支持するアーム２１１、２１１のそれぞれの他方端２１１ｂ、２１１ｂに対応する２つの突出部３１４ｂ、３１４ｂが設けてあり、またワリス用ブラケット３１４′、３１４′には、連続紙Ｐの両側に位置するワリス２１２、２１２を支持するアーム２１１、２１１のそれぞれの他方端２１１ｂ、２１１ｂに対応する突出部３１４′ｂ、３１４′ｂが設けてあり、各突出部３１４ｂ、３１４ｂ、３１４′ｂ、３１４′ｂと各アームの他方端２１１ｂ、２１１ｂ、２１１ｂ、２１１ｂとがワリス移動用の流体圧シリンダー２２１、２２１、２２１、２２１を介して連結されている。
【００２９】
これにより、各流体圧シリンダー２２１のロッドが伸長すると、ワリス２１２を支持する各アーム２１１が、図８の左側から視て反時計回りに角変位し、各ワリス２１２はドラッグローラー１００の周面から離隔し、ロッドが縮退すると、各アーム２１１が逆方向に角変位して各ワリス２１２がドラッグローラー１００の周面に、各流体圧シリンダー２２１の出力に対応する力で押し付けられるようになっている。
【００３０】
各ブラケット３１４、３１４′、３１４′の下側には下方突出部３１４ｄ、３１４′ｄ、３１４′ｄが設けてあり、これにはストッパー３１６、３１６、３１６、３１６がそれぞれ設けてあり、各アーム２１１がそれぞれのワリス２１２がドラッグローラー１００に押し付けられる方向に限界位置まで角変位したときに各アーム２１１が各ストッパー３１６に接触するようになっている。この各ストッパー３１６の接触位置は調節可能になっている。
【００３１】
３．スリッターナイフ３２５
主ブラケット３１４には、上記した突出部３１４ｂ、３１４ｂと下方突起３１４ｄ、３１４ｄのほかに、突出部３１４ｂ、３１４ｂの反対側に側方突出部３１４ａが、また下側に垂下部３１４ｃが設けてある。垂下部３１４ｃの先端はワリス用ステー３１３の中間部に連結されている。
【００３２】
図３に示すように、側方突出部３１４ａには支持軸３１１の一端が角変位可能に支持され、この支持軸３１１の他端は一方のフレームＨａに角変位可能に支持されるとともに、このフレームＨａを貫通した端部に、支持軸３１１と一体にアーム３３１が取り付けられている。このアーム３３１の自由端にはブラケット３３３を介してフレームＨａに角変位可能に取り付けられたスリッターナイフ移動用の流体圧シリンダー３３２のロッド先端が角変位可能に連結されている。
【００３３】
上記支持軸３１１には、主ブラケット３１４の側方突出部３１４ａ近傍及び略中間部にアーム３２１及び３２２が支持軸３１１と一体に取り付けられており、これらのアーム３２１、３２２の自由端には、支持軸３１１と平行な軸３２３が、その両端をアーム３２１及びアーム３２２からそれぞれ突出した状態で回転可能に支持されている。アーム３２１とアーム３２２との間の軸３２３は両アーム３２１、３２２に固定されたスリーブ３２６で覆われている。
【００３４】
図４に示すように、上記両アーム３２１、３２２に支持された軸３２３の一方のアーム３２１から突出している軸端部には、大径部及び小径部の段付き形状のブロック３２４が設けられ、このブロック３２４の大径部に、刃先がドラッグローラー１００の溝１０１に対向するようにしてスリッターナイフ３２５が取り付けられている。このスリッターナイフ３２５の刃先３２５ａの円周長は連続紙Ｐが折畳胴群Ｅにおいて切断されて形成される折帳Ｇの２部分の長さに等しくなっている。
【００３５】
また、図２、図５、図６に示すように、主ブラケット３１４の垂下部３１４ｃの側面には、角変位するアーム３２１と接触して、アーム３２１に設けられるスリッターナイフ３２５の角変位の動作限界を設定するストッパー３１５が設けられている。そして、スリッターナイフ移動用の流体圧シリンダー３３２のロッドの退縮によって、アーム３２１がストッパー３１５に押し当たったときにスリッターナイフ３２５の刃先３２５ａが、ドラッグローラー１００の溝１０１に適宜深さで入り込んだ切断作用位置に位置し、連続紙Ｐを走行方向と平行に切断できるようになっている。
【００３６】
他方、図３に示すように、他方のアーム３２２から突出した軸３２３の軸端には歯車３４１が設けられ、スリッターナイフ３２５が切断作用位置に位置するときに、ドラッグローラー１００の軸部１００ａに設けられた歯車３４２と噛み合うようになっていて、切断作用位置におけるスリッターナイフ３２５はこのドラッグローラー１００にて回転駆動されるようになっている。
【００３７】
また、図６に示すように、スリッターナイフ移動用の流体圧シリンダー３３２のロッド伸長作用に伴って、支持軸３１１が反時計回り方向に角変位すると、スリッターナイフ３２５が斜め上方へ移動し、図３に示す歯車３４１は歯車３４２から離隔してドラッグローラー１００からの回転駆動は軸３２３に伝達されず、スリッターナイフ３２５の回転は停止される。歯車３４１と歯車３４２のギヤ比は、ドラッグローラー１００の周速度にスリッターナイフ３２５の刃先３２５ａの周速度が同じになるようなギヤ比になっている。
【００３８】
４．スリッターナイフのカバー４００
スリッターナイフのカバー４００は、固定カバー４１２と移動カバー４１４及び案内手段４２０とから構成されている。
【００３９】
４−１．固定カバー４１２
図４に示すように軸３２３の軸端部に設けられたスリッターナイフ３２５を取り付けるためのブロック３２４の小径部を覆うようにしてアーム３２１の自由端部側面にハウジング４１１が設けられている。このハウジング４１１は、段付きの円筒体で周面が小径部４１１ａと大径部４１１ｂとなっていて、小径部４１１ａの側面をアーム３２１の他端部側面に接続され、小径部４１１ａと大径部４１１ｂの軸中心を軸３２３と同心状にしてある。そしてハウジング４１１の大径部４１１ｂには、固定カバー４１２が取り付けられている。
【００４０】
固定カバー４１２は、ボス部４１２ａとこれに連続するカバー部４１２ｂ及びフタ部４１２ｃで構成されている。ボス部４１２ａはハウジング４１１の大径部４１１ｂの外周面に取り付けられ、カバー部４１２ｂはボス部４１２ａに連続するドーナツ状円盤と、これの外周に連続され、ブロック３２４とスリッターナイフ３２５の刃先３２５ａを覆う円筒部とで形成され、フタ部４１２ｃは、カバー部４１２ｂのドーナツ状円盤と反対側にねじなどで着脱可能に取り付けられている。
【００４１】
そして、図２、図４、図５に示すように、カバー部４１２ｂ及びフタ部４１２ｃには、スリッターナイフ３２５が切断作用位置に位置したときにドラッグローラー１００の溝１０１に入り込んで、スリッターナイフ３２５の刃先３２５ａが、ドラッグローラー１００の外周面に接触して走行させられる連続紙Ｐを切断可能であるように、かつ、アーム２１１の角変位によるワリス２１２の移動及び支持軸３１１の角変位に伴う固定カバー４１２の移動の際に、アーム２１１、ワリス２１２及び固定カバー４１２が互いに接触しないよう切り欠いた開口部４１３が形成されていて、スリッターナイフ３２５の刃先３２５ａがドラッグローラー１００の溝１０１に入り込んだ状態で、この固定カバー４１２がドラッグローラー１００、アーム２１１及びワリス２１２と干渉しないようになっている。
【００４２】
４−２．移動カバー４１４
図２、図４、図５に示すように、移動カバー４１４はスリッターナイフ３２５の円周方向に角変位可能にハウジング４１１の小径部４１１ａに支持されている。
【００４３】
そしてこの移動カバー４１４は、ボス部４１４ａの一部に連続され前記固定カバー４１２との間に隙間をおいて、その外側に設けられる扇状部材と、この扇状部材の外周に連続され前記固定カバー４１２の円筒部の一部と隙間をおいて外側に重なるように設けられた円弧状部材と、この円弧状部材に連続され前記扇状部材と対向するように略スリッターナイフ３２５の外径と一致する程度まで折り返されて設けられた折り返し部材４１４ｄとからなるカバー部４１４ｂと、扇状部材の外面で、かつ半径方向側辺の一方に、ボス部４１４ａから放射方向にひさし状に突出する突出片４１４ｃとで構成されている。ボス部４１４ａはハウジング４１１の小径部４１１ａの外周面において軸方向に移動が規制され、かつ角変位可能に支持されている。そして、移動カバー４１４はハウジング４１１からドラッグローラー１００と反対側の斜め上方で、突出片４１４ｃが後述する案内手段４２０に連絡されている。
【００４４】
４−３．案内手段４２０
案内手段４２０は、図１、図２、図４に示すように主ブラケット３１４の側方突出部３１４ａに一端部４２１ａを取り付けて設けたブラケット４２１と、このブラケット４２１の他端部４２１ｂに回転可能に設けた一対のコロ４２２、４２２とから構成されている。
【００４５】
ブラケット４２１の他端部４２１ｂに設けられたコロ４２２、４２２は、移動カバー４１４の突出片４１４ｃを両側から挟むようにして移動カバー４１４の自由な角変位を規制して保持するようになっている。
【００４６】
そして図２、図６に示すようにブラケット４２１のコロ４２２、４２２と移動カバー４１４の突出片４１４ｃとの位置関係は、アーム３２１が角変位して移動カバー４１４が上下動したときに突出片４１４ｃは両コロ４２２、４２２に沿って移動し、移動カバー４１４が上方へ移動したときにはボス部４１４ａがコロ４２２、４２２の近傍に位置して移動カバー４１４は時計回りに角変位し、移動カバー４１４が下方へ移動したときには円弧状部材がコロ４２２，４２２の近傍に位置して移動カバー４１４は反時計回りに角変位するようになっている。
【００４７】
次に動作を説明する。
まず、輪転機の稼動状態では、図９に示すように図示しない印刷部を通過した連続紙Ｐがドラッグローラー１００に牽引されてフォーマーＣに送り込まれる。このとき、図２に示すように、ワリス移動用の流体圧シリンダー２２１のロッドは退縮していて、ワリス２１２により連続紙Ｐはドラッグローラー１００の周面に押し付けられて紙送りされている。
【００４８】
また、スリッターナイフ移動用の流体圧シリンダー３３２のロッドは縮退して固定カバー４１２とともにスリッターナイフ３２５が下方へ移動されることにより、スリッターナイフ３２５の刃先３２５ａは固定カバー４１２の開口部４１３よりドラッグローラー１００の溝１０１に入り込まれる。この位置において、図３に示すように歯車３４２に歯車３４１が噛み合っていて、ドラッグローラー１００の回転が軸３２３を介してスリッターナイフ３２５に伝達されて、スリッターナイフ３２５はドラッグローラー１００に連動して回転し、刃先３２５ａによって連続紙Ｐが走行方向と平行に切断される。
【００４９】
このとき、図２に示すように移動カバー４１４も固定カバー４１２とともに下方へ移動するが、ブラケット４２１の常時定位置に位置する案内手段４２０のコロ４２２、４２２によって突出片４１４ｃを介して移動カバー４１４が相対的に反時計回りに角変位して上方へ引き上げられていて、固定カバー４１２の開口部４１３を覆わない位置で維持されている。
【００５０】
上記の稼動が終了し、輪転機が停止すると、図示しない制御装置からの信号を受けたスリッターナイフ用の流体圧シリンダー３３２に接続する図示しないソレノイドバルブが切り換えられる。すると図６に示すように、このスリッターナイフ作動用の流体圧シリンダー３３２のロッドが伸長し、アーム３２１、３２２が反時計回りに角変位し、スリッターナイフ３２５はドラッグローラー１００から遠ざかり、待機位置に移動する。
【００５１】
このスリッターナイフ３２５の移動、つまり軸３２３が移動すると、固定カバー４１２と移動カバー４１４がともにドラッグローラー１００から遠ざかる方向に移動する。そしてこのとき、移動カバー４１４の突出片ｂ４１４ｃは、前記常時定位置に位置する案内手段４２０のコロ４２２、４２２によってドラッグローラー１００から遠ざかることがないよう規制されつつ、これらコロ４２２、４２２の間を軸３２３の移動に見合うだけ相対的に移動する。
【００５２】
そのため、移動カバー４１４はボス部４１４ａがハウジング４１１の小径部外周面に沿って図２、図６において時計回りに角変位し、固定カバー４１２の開口部４１３を縮小する。この角変位は、移動カバー４１４がワリス移動用の流体圧シリンダー２２１の動作によって移動するアーム２１１及びワリス２１２に接触しない位置であり、かつ固定カバー４１２の開口部４１３を略半減する程度まで行われる。
【００５３】
つまり、待機位置に位置するスリッターナイフ３２５の刃先３２５ａは、固定カバー４１２と移動カバー４１４とからなるスリッターナイフのカバー４００によって、ほとんど覆われるとともに、覆われない部位ではアーム２１１とワリス２１２が作業者との干渉を妨げる役目をする。したがって、紙通し作業や保守作業など、スリッターナイフ３２５を待機位置に位置させて行う作業の際でも、作業者は安全に作業することができる。
【００５４】
なお、スリッターナイフ３２５に近接するワリス２１２を設けないときは、このワリス２１２及びこのワリス２１２を支持するアーム２１１とスリッターナイフのカバー４００との接触を考慮する必要がないので、固定カバー４１２の開口部４１３を小さくし、スリッターナイフ３２５を待機位置に位置させたときに開口部４１３の全部を移動カバー４１４で塞ぐように構成することも可能である。
【００５５】
また、スリッターナイフ３２５を待機位置に位置させると、スリッターナイフ３２５の軸３２３に設けられた歯車３４１とドラッグローラー１００の軸１００ａに設けられた歯車３４２との噛み合が外れるので、紙通し作業や保守作業中に機械を動かしてもスリッターナイフ３２５は駆動回転されることがない。このことは、機械を動かして行う必要のある紙通し作業の際の安全性確保に極めて有効である。
【００５６】
スリッターナイフ３２５の交換は、固定カバー４１２のフタ部４１２ｃを取り外し、スリッターナイフ３２５をブロック３２４に対して着脱することによって行われる。このとき、移動カバー４１４のスリッターナイフ３２５の交換側が、スリッターナイフ３２５の外径と一致する程度まで折り返された折り返し部材４１４ｄとなっていることにより、この部分が着脱されるスリッターナイフ３２５と干渉せず、従ってスリッターナイフ３２５の交換は移動カバーが障害となることなく行われる。
【００５７】
【発明の効果】
本発明によれば、スリッターナイフがドラッグローラーから離隔した際に、スリッターナイフの刃先がほとんど又は全部が露出しないようにカバーにて覆うことができるので、作業者は、スリッターナイフをドラッグローラーから離隔した状態での作業を安全に行うことができる。
【図面の簡単な説明】
【図１】この発明の実施の形態におけるスリッターナイフのカバーの構成を示す斜視図である。
【図２】図１のＷ矢視一部断面図である。
【図３】図１のＸ矢視一部断面展開図である。
【図４】図３の一部断面拡大図である。
【図５】図１のＹ矢視一部断面図である。
【図６】図２のスリッターナイフが待機位置に位置するときのカバーの説明図である。
【図７】折機のドラッグローラーと共同で作用可能に設けたワリスを示す斜視図である。
【図８】図７のＺ矢視一部断面展開図である。
【図９】折機の構成を示す概略正面図である。
【符号の説明】
Ａ…折機                      Ｃ…フォーマー                    Ｄ…ニッピングローラー
Ｅ…折畳胴群                  Ｆ…デリバリーコンベヤー          Ｇ…折帳
Ｈａ…フレーム                Ｈｂ…フレーム                    Ｐ…連続紙
１００…ドラッグローラー      １００ａ…軸部                    １００ｂ…軸部
１０１…溝                    １０２…従動歯車
２１１…アーム                ２１１ａ…一端端                  ２１１ｂ…他方端
２１２…ワリス
２２１…ワリス移動用の流体圧シリンダー
３１１…支持軸                ３１２…ブラケット用ステー        ３１２ａ…ブラケット
３１３…ワリス用ステー        ３１３ａ…ブラケット
３１４…主ブラケット          ３１４′、３１４′…ワリス用ブラケット
３１４ａ…側方突出部          ３１４ｂ…突出部
３１４ｃ…垂下部                ３１４ｄ…下方突出部
３１４′…ブラケット          ３１４′ｂ…突出部                ３１４′ｄ…下方突出部
３１５…ストッパー            ３１６…ストッパー
３２１…アーム                ３２２…アーム                    ３２３…軸
３２４…ブロック              ３２５…スリッターナイフ          ３２５ａ…刃先
３２６…スリーブ
３３１…アーム                ３３２…スリッターナイフ移動用の流体圧シリンダー        ３３３…ブラケット
３４１…歯車                  ３４２…歯車
４００…スリッターナイフのカバー
４１１…ハウジング            ４１１ａ…小径部
４１１ｂ…大径部              ４１２…固定カバー                ４１２ａ…ボス部
４１２ｂ…カバー部            ４１２ｃ…フタ部                  ４１３…開口部
４１４…移動カバー            ４１４ａ…ボス部                  ４１４ｂ…カバー部
４１４ｃ…突出片              ４１４ｄ…折り返し部材
４２０…案内手段              ４２１…ブラケット
４２１ａ…一端部              ４２１ｂ…他端部                  ４２２…コロ
【図１】
2004322266.tif 000003
【図２】
2004322266.tif 000004
【図３】
2004322266.tif 000005
【図４】
2004322266.tif 000006
【図５】
2004322266.tif 000007
【図６】
2004322266.tif 000008
【図７】
2004322266.tif 000009
【図８】
2004322266.tif 000010
【図９】
2004322266.tif 000011